(57)【要約】【課題】空気調和機の操作部の表示画面における風向風量表示を、操作の判断が容易で、視認性の高いものにする。【解決手段】空気調和機の室内機１にはリモートコントローラ１０が付属する。リモートコントローラ１０は操作ボタン群１１と表示画面１２を有し、表示画面１２の中には風向風量表示部１２ｇが設けられている。風向風量表示部１２ｇには、室内機のシンボル図形１３と、室内機１から吹き出す風の向きのシンボル図形１４と、風の量のシンボル図形１５と、風を受ける人物のシンボル図形１６が表示される。風の向きのシンボル図形１４と風の量のシンボル図形１５は一つに組み合わせられている。風の向きのシンボル図形１４は平行する複数の線からなり、その複数の線同士の間隔を埋める着色帯が風の量のシンボル図形１５となる。【選択図】図２
2009058194.tif 000002
【特許請求の範囲】
【請求項１】
空気調和機の操作部の表示画面に、空気調和機から吹き出す風の向きと、その風の量とをシンボル図形で表示するにあたり、風向情報と風量情報を一つに組み合わせたシンボル図形を用いることを特徴とする空気調和機の風向風量表示装置。
【請求項２】
前記風向情報には風の経路情報も含まれることを特徴とする請求項１に記載の空気調和機の風向風量表示装置。
【請求項３】
平行する複数の線により風の経路を表現し、前記複数の線同士の間隔を埋める着色帯の長さにより風量を表現することを特徴とする請求項２に記載の空気調和機の風向風量表示装置。
【請求項４】
空気調和機からの風を受ける人物のシンボル図形を同時に表示することを特徴とする請求項１から３のいずれか１項に記載の空気調和機の風向風量表示装置。
【請求項５】
前記操作部がリモートコントローラであることを特徴とする請求項１から４のいずれか１項に記載の空気調和機の風向風量表示装置。
【発明の詳細な説明】
【技術分野】
【０００１】
本発明は空気調和機の風向風量表示装置に関する。
【背景技術】
【０００２】
最近の空気調和機、特に家庭用の空気調和機においては、操作指令により吹き出す風の向きを調節できるものが多くなっている。その例を特許文献１に見ることができる。
【特許文献１】特開２００３−１２０９８６号公報
【発明の開示】
【発明が解決しようとする課題】
【０００３】
図１に示すのは空気調和機の典型的構成例である。すなわち１は室内の壁に取り付けられる空気調和機の室内機であり、１０は室内機１を操作するリモートコントローラである。リモートコントローラ１０は赤外線信号で室内機１に各種指令を伝えるものであり、その指令の中には風向に関する指令と風量に関する指令が含まれる。リモートコントローラ１０には操作ボタン群１１と表示画面１２が設けられている。表示画面は液晶パネルにより構成される。
【０００４】
図１２に従来のリモートコントローラ１０の一例を示す。操作ボタン群１１は、冷房ボタン１１ａ、暖房ボタン１１ｂ、停止ボタン１１ｃ、温度設定ボタン１１ｄ、上下風向設定ボタン１１ｅ、及び風量設定ボタン１１ｆからなる。表示画面１２には、風向表示部１２ａ、風量表示部１２ｂ、運転モード表示部１２ｃ、設定温度表示部１２ｄ、及び時刻表示部１２ｅが設けられる。
【０００５】
リモートコントローラ１０の冷房ボタン１１ａを押すと室内機１は冷房モードで運転を開始し、暖房ボタン１１ｂを押すと室内機１は暖房モードで運転を開始する。停止ボタン１１ｃを押すと、冷房モード運転または暖房モード運転は停止する。温度設定ボタン１１ｄの左端を押すと設定温度が下がり、右端を押すと設定温度が上がる。設定温度は設定温度表示部１２ｄに表示される。
【０００６】
上下風向設定ボタン１１ｅを押すと、上下方向の風向が１段階ずつ切り替わる。上下方向の風向は４段階に切り替えることが可能であり、その状況は風向表示部１２ａに表示される（図１３参照）。ここでは吹き出す風のシンボル図形として三角形が用いられており、その三角形の角度が順次変化して行く。
【０００７】
風量設定ボタン１１ｆを押すと、風量が１段階ずつ切り替わる。風量は「風量自動」「風量小」「風量中」「風量大」の４段階に切り替えることが可能であり、その状況は風量表示部１２ｂに表示される（図１４参照）。ここでは風量のシンボル図形として四辺形が用いられており、左から右へ、１個、２個、３個と四辺形の数が増え、四辺形の高さも増して行くことにより、風量小→風量中→風量大の変化が表現されている。
【０００８】
このように、従来は風向表示と風量表示が別のものになっており、使用者にとっては、例えばもっと風に当たりたい場合、風向を変更すべきか、風量を変更すべきかの判断が難しかった。また、面積に限りがある表示画面に風向表示部と風量表示部を別々に設けているため、それぞれの表示部の面積が小さくなり、見にくかった。
【０００９】
本発明は上記の点に鑑みなされたものであり、空気調和機の操作部の表示画面における風向風量表示を、操作の判断が容易で、視認性の高いものにすることを目的とする。
【課題を解決するための手段】
【００１０】
上記目的を達成するために本発明は、空気調和機の操作部の表示画面に、空気調和機から吹き出す風の向きと、その風の量とをシンボル図形で表示するにあたり、風向情報と風量情報を一つに組み合わせたシンボル図形を用いることを特徴としている。
【００１１】
この構成によると、一つのシンボル図形で風向と風量の情報を得ることができ、どのように設定したら快適な空調効果が得られるかを判断しやすい。またシンボル図形の表示面積を大きくとることが可能なので、視認性を向上させることができる。
【００１２】
上記構成の空気調和機の風向風量表示装置において、前記風向情報には風の経路情報も含まれることが好ましい。
【００１３】
このような構成にすれば、風がどのように流れるかを判断して、快適な空調効果が得られるように設定することができる。
【００１４】
上記構成の空気調和機の風向風量表示装置において、平行する複数の線により風の経路を表現し、前記複数の線同士の間隔を埋める着色帯の長さにより風量を表現することが好ましい。
【００１５】
このような構成にすれば、風の経路と風量を直感的に把握することができる。
【００１６】
上記構成の空気調和機の風向風量表示装置において、空気調和機からの風を受ける人物のシンボル図形を同時に表示することが好ましい。
【００１７】
このような構成にすれば、人がどのように風を受けるかを認識し、快適な空調効果が得られるように設定することができる。
【００１８】
上記構成の空気調和機の風向風量表示装置において、前記操作部がリモートコントローラであることが好ましい。
【００１９】
このような構成にすれば、手元のリモートコントローラで風向と風量を調節し、快適な空調効果が得られるように設定することができる。
【発明の効果】
【００２０】
本発明によると、風向と風量を直感的に把握し、快適な空調効果が得られるように操作することができる。
【発明を実施するための最良の形態】
【００２１】
以下本発明の実施形態を図２から図４に基づき説明する。図２は空気調和機のリモートコントローラの正面図、図３は風向風量表示部における上下風向の表示の変遷を示す図、図４は風向風量表示部における風量の表示の変遷を示す図である。なお図１２に示した従来構造のリモートコントローラと機能的に共通する要素には図１２で用いたのと同じ符号を付し、説明は省略する。
【００２２】
リモートコントローラ１０の表示画面１２には、従来の風向表示部１２ａと風量表示部１２ｂに代え、風向風量表示部１２ｆが設けられる。風向風量表示部１２ｆに表示されるのは、室内機のシンボル図形１３と、室内機１から吹き出す風の向き（風向情報）のシンボル図形１４と、風の量（風量情報）のシンボル図形１５と、風を受ける人物のシンボル図形１６である。風の向きのシンボル図形１４と風の量のシンボル図形１５は一つに組み合わせられている。
【００２３】
風の向きのシンボル図形１４は平行する複数の線からなり、その複数の線同士の間隔を埋める着色帯が風の量のシンボル図形１５となる。この実施形態では、１本の二重線と１本の一重線の組み合わせが風の向きのシンボル図形１４を構成する。風の向きのシンボル図形１４は湾曲しており、その湾曲により、室内機１から吹き出した風がその後どのように流れるかをイメージ化して風の経路として表現している。すなわち、風向情報である風の向きのシンボル図形１４は、風の経路情報も含んでいる。風の量のシンボル図形１５の着色帯は、平行する線の集合からなる。
【００２４】
上下風向設定ボタン１１ｅを押すと、図３に示すように、風の向きと経路が３通りに切り替わる。すなわち天井に向けて吹き上げる経路、使用者の方向に吹き出す経路、及び床に向けて吹き下ろす経路の３通りである。
【００２５】
風量設定ボタン１１ｆを押すと、図４に示すように、風量が４段階に切り替わる。４段階の風量は、風の量のシンボル図形１５である着色帯の長さをもって表される。
【００２６】
このように、風の向きのシンボル図形１４と風の量のシンボル図形１５が一つになったシンボル図形から風向と風量の情報を得るので、どのように設定したら快適な空調効果が得られるかを判断しやすい。風を受ける人物のシンボル図形１６が同時に表示されていることが、判断を一層容易にする。また従来風向表示部１２ａと風量表示部１２ｂが占めていたスペースを利用して、風の向きのシンボル図形１４と風の量のシンボル図形１５が一つになったシンボル図形を表示できるので、シンボル図形の表示面積を大きくとり、視認性を高めることができる。
【００２７】
図５から図７にシンボル図形の変形実施態様を示す。ここでは湾曲した１本の線を風の向きのシンボル図形１４ａとし、シンボル図形１４ａの数を増やして行くことにより風量の増大を表現している。
【００２８】
図８から図１０にシンボル図形の他の変形実施態様を示す。ここでは風の向きのシンボル図形１４の中に多数の表示セグメント１７を一列に並べ、この表示セグメント１７の集合をもって風の量のシンボル図形１５としている。
【００２９】
表示セグメント１７の色を、数個に１個の割合で他の表示セグメントの色と異ならせるものとし、色の変わった部分が風上から風下に移動するように見えるように、表示セグメント１７の色を順次切り替える。色変わりとなる表示セグメント１７の出現頻度、言い換えれば何個に１個の割合で色変わりとなるかの割合で風量の多寡を表現する。また色の移り変わりの速度、すなわち色の切り替えの速度で風速を表現する。
【００３０】
上記実施形態ではリモートコントローラ１０が室内機１の操作部であったが、室内機１自体が操作部と表示画面を備えている場合、その表示画面に本発明を適用することが可能である。
【００３１】
また自動車に搭載される空気調和機も本発明の適用対象となり得る。その場合、図１１に示すように、風がフロントガラス付近から吹き出す場合、運転者の正面付近から吹き出す場合、足元から吹き出す場合などの風向パターンを用意し、それらのシンボル図形を切り替えて、あるいは同時に、表示するとよい。風量については、風の経路を表すシンボル図形１４の中に風の量のシンボル図形１５（着色帯）として暗色のブロックを配置し、その暗色ブロックの数を増減するといった手法で表現すればよい。
【００３２】
以上、本発明の実施形態につき説明したが、本発明の範囲はこれに限定されるものではなく、発明の主旨を逸脱しない範囲で種々の変更を加えて実施することができる。
【産業上の利用可能性】
【００３３】
本発明は風向の制御が可能な空気調和機に広く利用可能である。
【図面の簡単な説明】
【００３４】
【図１】空気調和機の構成例を示す図
【図２】空気調和機のリモートコントローラの正面図
【図３】風向風量表示部における上下風向の表示の変遷を示す図
【図４】風向風量表示部における風量の表示の変遷を示す図
【図５】シンボル図形の変形実施態様を示す第１の図
【図６】シンボル図形の変形実施態様を示す第２の図
【図７】シンボル図形の変形実施態様を示す第３の図
【図８】シンボル図形の他の変形実施態様を示す第１の図
【図９】シンボル図形の他の変形実施態様を示す第２の図
【図１０】シンボル図形の他の変形実施態様を示す第３の図
【図１１】車載用空気調和機に本発明を適用した場合のシンボル図形の例を示す図
【図１２】従来のリモートコントローラの正面図
【図１３】従来のリモートコントローラにおける風向表示の変遷を示す図
【図１４】従来のリモートコントローラにおける風量表示の変遷を示す図
【符号の説明】
【００３５】
１    室内機
１０  リモートコントローラ
１１  操作ボタン群
１２  表示画面
１２ｆ  風向風量表示部
１４  風の向きのシンボル図形
１５  風の量のシンボル図形
【図１】
2009058194.tif 000003
【図２】
2009058194.tif 000004
【図３】
2009058194.tif 000005
【図４】
2009058194.tif 000006
【図５】
2009058194.tif 000007
【図６】
2009058194.tif 000008
【図７】
2009058194.tif 000009
【図８】
2009058194.tif 000010
【図９】
2009058194.tif 000011
【図１０】
2009058194.tif 000012
【図１１】
2009058194.tif 000013
【図１２】
2009058194.tif 000014
【図１３】
2009058194.tif 000015
【図１４】
2009058194.tif 000016